(57)【特許請求の範囲】
【請求項１】
有底筒状の器具本体と、
前記器具本体内の底部に配置される光源部と、
入射開口部と出射開口部とで両端に開口した筒状の部材であって、前記器具本体内に配置される反射部材と、
前記反射部材の前記出射開口部を塞ぐ光学部材と、を備える照明器具であって、
前記照明器具には、
前記反射部材の内側壁と前記光学部材とで囲まれる第一空間と、
前記器具本体の内壁と前記反射部材の外側壁とで囲まれる第二空間とがあり、
前記反射部材の前記入射開口部の開口縁部分と前記器具本体内の底部内面との間に、前記第一空間と前記第二空間とを連通させる間隙部が設けられ、
前記反射部材の前記出射開口部の開口縁部分には、全周にわたって外方へ突出する鍔状部が設けられ、前記鍔状部に前記第一空間と前記第二空間とを連通させる複数の貫通孔が周方向に並べて配置されている
前記照明器具。
【請求項２】
前記光学部材は、前記出射開口部から出射される光を配光制御して透過させる配光制御部と、前記配光制御部の周囲に環状部と、を有し、
前記環状部と前記反射部材の前記鍔状部とが接合される、前記接合部分よりも内側における前記鍔状部に前記貫通孔が配置されている
請求項１に記載の照明器具。
【請求項３】
前記配光制御部は、フレネルレンズである
請求項２に記載の照明器具。
【請求項４】
両端に開口した筒状の枠部材であって、一方の開口端が前記器具本体の底部とは反対側の開口部の開口縁部分に固定される補助反射部を、さらに備える
請求項１から３のいずれか一項に記載の照明器具。
【発明の詳細な説明】
【技術分野】
【０００１】
本発明は、透過性の光学部材を備える照明器具に関する。
【背景技術】
【０００２】
従来、埋込型の照明器具として、例えば、ダウンライトやスポットライトのように天井に埋込配設されて下方に光を照射する天井埋込型照明器具、あるいは、地中に埋込配設されて上方に光を照射する地中埋込型照明器具等が知られている。従来の埋込型照明器具として、例えば特許文献１には、ダウンライトに関する照明器具が開示されている。
【先行技術文献】
【特許文献】
【０００３】
【特許文献１】特開２０１１−２１０６２１
【発明の概要】
【発明が解決しようとする課題】
【０００４】
一般に、従来のダウンライトでは、点灯時に光源部から発せられる熱によって、光学部材が熱劣化する。
【０００５】
特に、反射部材と光学部材との間に形成される空間内に虫が混入するのを防止するために、当該空間を外気と繋がらないように密閉する構造が採用されることもある。密閉構造が採用されたダウンライトでは、反射部材や光学部材との間の温度上昇が顕著になりやすく、各々の部材の熱劣化が著しくなることがある。
【０００６】
本発明は、反射部材と光学部材との間の空間の温度上昇を抑制することができる照明器具を提供する。
【課題を解決するための手段】
【０００７】
上記課題を解決するために、本発明に係る照明器具は、有底筒状の器具本体と、器具本体内の底部に配置される光源部と、入射開口部と出射開口部とで両端に開口した筒状の部材であって、器具本体内に配置される反射部材と、反射部材の出射開口部を塞ぐ光学部材と、を備える。
【０００８】
照明器具には、反射部材と光学部材とで囲まれる第一空間と、器具本体内と反射部材とで囲まれる第二空間とがあり、反射部材の入射開口部の開口縁部分と器具本体内の底部内面との間に、第一空間と第二空間とを連通させる間隙部が設けられる。反射部材の前記出射開口部の開口縁部分には、全周にわたって外方へ突出する鍔状部が設けられ、鍔状部に第一空間と第二空間とを連通させる複数の貫通孔が周方向に並べて配置されている。
【発明の効果】
【０００９】
上記構成により、反射部材と光学部材との空間の温度上昇を抑制することができる。
【図面の簡単な説明】
【００１０】
【図１】図１は、実施の形態に係る照明器具１００の分解斜視図である。
【図２】図２は、実施の形態に係る反射部材４と光学部材５との分解斜視図である。
【図３】図３は、実施の形態に係る照明器具１００の断面図である。
【図４】図４は、実施の形態に係る照明器具１００の断面の要部拡大図である。
【図５】図５は、実施の形態に係る反射部材４と光学部材５との接続部分における断面斜視図である。
【発明を実施するための形態】
【００１１】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態）
［１．構成］
まず、実施の形態に係る照明器具１００の構成について、図１及び図２を参照して説明する。
【００１４】
図１は、本実施の形態に係る照明器具１００の分解斜視図である。
【００１５】
図２は、本実施の形態に係る反射部材４と光学部材５との分解斜視図である。
【００１６】
図１及び図２に示されるように、照明器具１００は、器具本体１、光源部２、接続部材３、反射部材４、光学部材５、枠体６を備える。ＸＹＺ方向は図１に示されるように定義する。光源部２から出射される光の光軸Ｊ方向は鉛直方向（図のＺ軸方向）である。以下、各構成要素について説明する。
【００１７】
［１−１．器具本体］
器具本体１は、光源部２と反射部材４とを内部で支持する部材である。本実施形態では、器具本体１は、光源部２と反射部材４とを取り付ける取付台である。器具本体１は、筒状部１１、光源支持部１２及び複数のフィン１３を備える。
【００１８】
筒状部１１は、器具本体１の内部に設けられ、Ｚ軸方向側に開口する有底筒状の部分である。筒状部１１の内部において、光源部２と反射部材４とを囲むように支持する。また、筒状部１１のＺ軸方向側には、枠体６が取り付けられる。枠体６は、例えば、器具本体１にねじを用いて締結される。枠体６のＺ軸方向負側の端部には、これに対応したねじ穴が設けられ、ねじ穴にねじがねじ込まれることによって、器具本体１と枠体６が締結される。
【００１９】
光源支持部１２は、光源部２を支持する筒状部１１の底部に設けられる部分である。
【００２０】
フィン１３は、光源部２の点灯によって発生した熱を放熱させる部分である。フィン１３は器具本体１の外壁に設けられ、Ｚ軸方向負側に複数形成される。
【００２１】
器具本体１は、金属材料を用いて形成される。例えば、器具本体１はアルミダイカスト工程を経て形成されることが好ましい。
【００２２】
［１−２．光源部］
光源部２は、発光素子を有する発光モジュールであって、発光素子は所定の光を放射状
に出射する、例えばＬＥＤ（Ｌｉｇｈｔ  Ｅｍｉｔｔｉｎｇ  Ｄｅｖｉｃｅ）である。光源部２は、ＣＯＢ（Ｃｈｉｐ  Ｏｎ  Ｂｏａｒｄ）型ＬＥＤで構成され、基台２１と、発光部２２とを有する。発光部２２は、基台２１上に実装されたベアチップ（ＬＥＤチップ）である複数のＬＥＤチップと、それらＬＥＤチップを封止する封止部材とを有する。なお、本実施の形態では、封止部材は全てのＬＥＤチップを一括封止しているが、封止部材の構成はこれに限られない。例えば、ライン状に配列されたＬＥＤチップの配列方向に沿って複数本の封止部材がライン状に配置されていてもよい。
【００２３】
光源部２は器具本体取付部２３によって、器具本体１の光源支持部１２に取り付けられる。図１に示される光源部２から発せられる光は、光軸Ｊ方向（図１のＺ軸方向）に照射される。器具本体取付部２３は、例えば、矩形形状の規制部２３１と、光源部２と反射部材４とを係止するための第一の係止部２３２と有する。規制部２３１は、光源部２のＸ軸及びＹ軸方向の位置を規制する。規制部２３１は中央に開口部２３３が形成されている。開口部２３３は、基台２１に対応する形状を有する。開口部２３３には、基台２１と発光部２２とが配置される。器具本体取付部２３は、器具本体１の光源支持部１２に配置され、接続部材３及びねじによって器具本体１に固定される。例えば、規制部２３１にはねじ貫通孔が設けられており、ねじ貫通孔にねじが挿入されることによって、器具本体取付部２３が光源部２を保持して、器具本体１に取り付けられる。
【００２４】
基台２１は、複数のＬＥＤチップを実装するための実装基板であって、例えばセラミックス基板、樹脂基板又は絶縁被覆されたメタルベース基板などである。また、基台２１は、例えば平面視において矩形形状の平面を有する板状部材である。基台２１の底面が器具本体１に向けられて固定される。なお、基台２１には、ＬＥＤチップを発光させるため、直流電力を電源部４から受電するための一対の電極端子２４（正電極端子及び負電極端子）が設けられている。
【００２５】
［１−３．接続部材］
接続部材３は、光源部２へ電流を供給する配線（図示せず）が接続される部材である。本実施の形態では、二つの接続部材３を備え、一方の接続部材３に高電位側の配線が、他方の接続部材３に低電位側の配線が、それぞれ接続される。接続部材３には、光源部２へ電流を供給する電極（不図示）が設けられている。電極は、光源部２に設けられた一対の電極端子２４に接続される。
【００２６】
なお、接続部材３は、光源部２の位置を規制する。接続部材３には、例えば、貫通孔が形成されており、貫通孔にねじが挿入されることによって、接続部材３が光源部２の器具本体取付部２３を介して器具本体１に取り付けられる。図１に示されるように、接続部材３によって、光源部２が器具本体１に取り付けられることにより、光源部２の光軸Ｊ軸方向（Ｚ軸方向）における位置を規制する。すなわち、接続部材３により、光源部２が光源支持部１２に向けて押圧されている。
【００２７】
接続部材３は、例えば、ＰＢＴ、ポリカーボネートなどの樹脂材料を用いて形成される。また、接続部材３の電極は、銅などの導電性部材を用いて形成される。
【００２８】
［１−４．反射部材］
図２に示されるように、反射部材４は、光源部２からの光を光学部材５に向けて反射させる部材である。反射部材４は、入射開口部４１と出射開口部４２とで両端に開口した筒状の形状を有し、器具本体１内に配置される。反射部材４は、中央部４３、立設部４４及び鍔状部４５とから構成される。
【００２９】
中央部４３は、入射開口部４１と出射開口部４２とが設けられ、内径及び外径が入射開
口部４１から出射開口部４２に向けて次第に大きくなるように構成された筒状の形状を有する。反射部材４は、入射開口部４１の内径が光源部２が取り囲むようにして、器具本体取付部２３と取り付けられる。
光源部２から放射された光は入射開口部４１から入射し、中央部４３の内壁面において反射され、出射開口部４２から出射される。
【００３０】
鍔状部４５は、出射開口部４２の開口縁部分４５６に全周にわたって外方へ突出する環状形状を有する部材である。鍔状部４５には、出射開口部４２の開口縁部分寄りに、周方向において、円環状に複数の貫通孔４５１が並べて配置される。
【００３１】
また、出射開口部４２の開口縁部分４５６は、図２に示されるように、鍔状部４５の底面４５２より、光の出射するＪ軸方向（Ｚ軸方向）に突出した形状であることが望ましい。これにより、出射開口部４２から出射した光が複数の貫通孔４５１から漏れることを防ぐことができる。
【００３２】
また、鍔状部４５は、外周縁はＺ軸方向に突出した枠形状の規制枠４５４を有する。
【００３３】
立設部４４は、鍔状部４５の光源部２側に配置され、Ｚ軸方向の反対方向に立設されている。立設部４４には、器具本体取付部２３に設けられた第一の係止部２３２に対応する被係止貫通孔４４１が設けられている。器具本体取付部２３に設けられた第一の係止部２３２が被係止貫通孔４４１に接続されることで、反射部材４が器具本体取付部２３を介して器具本体１に取り付けられる。また、反射部材４は、入射開口部４１の内部で光源部２を取り囲むようにして、器具本体取付部２３に取り付けられる。
【００３４】
反射部材４は、例えばポリブチレンテレフタラート（ＰＢＴ）、ポリカーボネートなど、白色樹脂材料を用いて形成される。
【００３５】
［１−５．光学部材］
光学部材５は、光源部２から出射された光が入射される透過性の部材であって、図２に示されるように、配光制御部５１と環状部５２とを備える。
【００３６】
配光制御部５１は、光源部２側から入射した光の配光を制御し、出射する機能を有する。
【００３７】
本実施形態では、配光制御部５１において、光入射面（Ｚ軸方向負側）にはディンプル加工が施されている。光出射面（Ｚ軸方向側）には同心円状に配置された複数のプリズムからなるフレネルレンズが形成されている。これによって、出射する光を拡散させることができ、光の照度ムラ及び色ムラを抑制することができ、均一に被照射物を照らすことができる。
【００３８】
環状部５２は、光学部材５の光が入射する側の端部に円環状に配置され、光学部材５と反射部材４とを器具本体１に接続する部分である。環状部５２の内径は、鍔状部４５に配置される複数の貫通孔４５１によって形成される円の直径よりも大きい。
【００３９】
また、環状部５２には、光学部材５と反射部材４とを接続する第二の被係止部５２１が設けられる。第二の被係止部５２１は、反射部材４に設けられた第二の係止部４５３に取り付けられることによって、反射部材４に係止される。光学部材５と反射部材４との係止構造については、後で詳述する。
【００４０】
光学部材５は透過性材料を用いて形成されており、例えばフレネルレンズやＰＭＭＡ（
アクリル）、ポリカーブネートなどの透明樹脂素材、又は、ガラス材料などの透明材料を用いて形成されることが好ましい。
【００４１】
［１−６．枠体］
枠体６は、配光制御部５１から出射される光を反射させる両端に開口した筒形状の枠部材である。枠体６は、枠体本体部６１と補助反射部６２と取付部６３を備える。
【００４２】
なお、枠体６は、図１及び３に示されるように、器具本体１のＺ軸方向側の端面と接している。
【００４３】
枠体本体部６１は筒状の部材であり、Ｚ軸方向負側の端部６１ａの内径は、配光制御部５１の外径よりも大きい。また、同じく端部６１ａの外径は、器具本体１の筒状部１１と同じ程度の外径を有する。枠体本体部６１のＺ軸方向負側の端部６１ａと器具本体１のＺ軸方向側の端部１ａとが、例えば、ねじ止めによって固定される。枠体本体部６１は、例えばアルミニウムなどの金属で形成される。
【００４４】
補助反射部６２は、枠体本体部６１の内周面に沿って形成される筒状の部材である。補助反射部６２の内周面は補助反射面を有し、光学部材５から入射される光の配光制御を行う機能を有する。補助反射部６２は、例えばアルミニウムなどの薄い金属板で形成されている。補助反射部６２はＺ軸方向負側の開口部を、枠体本体部６１におけるＺ軸方向負側の開口部にかしめることにより、枠体本体部６１に取り付けられる。また、補助反射部６２は、Ｚ軸方向負側の開口部が配光制御部５１を取り囲み、枠体本体部６１を介して器具本体１に取り付けられる。
【００４５】
取付部６３は、照明器具１００を天井などに取り付けるための弾性部材である。本実施の形態では、三つの取付部６３が枠体本体部６１の外周に設けられる。取付部６３は、例えば鉄などの金属で形成される。
【００４６】
［２．係止構成］
続いて、図１から図５を参照して、本実施形態に係る構成要素間の係止構成について説明する。
図３は、本実施の形態に係る照明器具１００の断面図である。
図４は、本実施の形態に係る照明器具１００の断面の要部拡大図である。
図５は、本実施の形態に係る反射部材４と光学部材５との接続部分における断面斜視図である。
【００４７】
［２−１．器具本体と反射部材の係止構成］
図１から図４を参照して、器具本体１と反射部材４の係止構成を説明する。
【００４８】
図１、２に示されるように、器具本体１の底部１４には、光源部２が接続部材３を介して、器具本体１の光源支持部１２に取り付けられる。また、反射部材４は、光源部２に設けられた第一の係止部２３２によって、器具本体１と係止される。器具本体１と反射部材４の係止において、反射部材４の入射開口部４１は開口内部で基台２１を取り囲んで係止される。このとき、器具本体１の筒状部１１の底部１１ａと反射部材の入射開口部４１との端部４１ａの間に間隙部９が設けられて係止される。この構造により、器具本体１の筒状部１１の内部に、光源部２と反射部材４が支持される。
【００４９】
具体的には、光源部２に設けられた第一の係止部２３２が、反射部材４の立設部４４に設けられた係止貫通孔４４１に挿入され、支持される。その際、光源部２は反射部材４の入射開口部４１の径内に収められ、器具本体１の底部と反射部材４の入射開口部４１は間
隙部９が設けられて取り付けられる。また、筒状部１１の内部は、鍔状部４５の外径が収まる大きさであり、器具本体１と反射部材４が接続された際、器具本体１の筒状部１１の内壁と反射部材４の外壁とで囲まれる環状の第二空間８を有する。
【００５０】
［２−２．反射部材と光学部材との間の係止構成］
反射部材４と光学部材５との係止構成について説明する。
【００５１】
本実施形態における反射部材４の鍔状部４５には、出射開口部４２の開口縁部分４５６の円形に沿って、周方向に１２個の円形状の貫通孔４５１が等間隔に設けられている。なお、貫通孔４５１の形状や個数は、これに限るものではない。
【００５２】
図４及び図５に示されるように、光学部材５が有する環状部５２の内径はこの反射部材４に設けられた複数の貫通孔４５１によって形成される円の内径よりも大きく、環状部５２と反射部材４の鍔状部４５と接合される接続部分１０よりも内側に、環状部５２は複数の貫通孔４５１を取り囲んで接続される。
【００５３】
鍔状部４５の外周縁はＺ軸方向に突出した規制枠４５４を有する。規制枠４５４は、光学部材５の環状部５２の外周縁に沿った形状のＹ軸方向負側に突出した枠部である。
【００５４】
光学部材５は、環状部５２において、反射部材４の鍔状部４５に取り付けられている。環状部５２の外周縁は、規制枠４５４に沿って周方向にわたって囲まれている。すなわち、光学部材５の外周縁形状も鍔状部４５の規制枠４５４と同様の形状を有する。
【００５５】
規制枠４５４は、例えば光学部材５を係止するための第二の係止部４５３を有する（図２参照）。光学部材５の環状部５２の外径には、第二の係止部４５３に対応した第二の被係止部５２１が設けられている。第二の係止部４５３と第二の被係止部５２１とが接続されることにより、反射部材４の鍔状部４５のＺ軸方向側の面と光学部材５の環状部５２のＺ軸方向負側の面とが接した状態で係止される。光学部材５は、ねじなどの締結部材を用いずに反射部材４に係止される。
【００５６】
図５に示されるように、光学部材５の環状部５２の内周縁形状は、反射部材４の出射開口部４２の周縁に設けられた複数の貫通孔４５１によって形成される円周の内径よりも大きい。すなわち、固定した反射部材４と光学部材５をＺ軸方向側から見た際、反射部材４に設けられた複数の貫通孔４５１は、光学部材５の環状部５２の内径よりも内側に収まる。
【００５７】
例えば、本実施形態において、出射開口部４２の内径は６ｃｍ、環状部５２の内径は６．５ｃｍ、貫通孔４５１の直径は０．２ｃｍである。このとき、貫通孔４５１によって形成される円周の内径は６．１ｃｍであることが好ましく、それぞれの内径の中心は全て同一点であることが好ましい。
【００５８】
光学部材５の配光制御部５１は、出射開口部４２と空隙を介して反射部材４と係止される。そのため、照明器具１００は、反射部材４の中央部４３の内壁と光学部材５の配光制御部５１のＺ軸方向負側とで囲まれる第一空間７を有する。なお、出射開口部４２と環状部５２とがズレなく正確に貫通孔４５１を取り囲んで係止されるように、反射部材４の鍔状部４５に位置決め部４５５を有することが好ましい。また、位置決め部４５５の形状に対応して、光学部材５の環状部５２は位置取り部５２２を有することが好ましい。
【００５９】
この係止構造によって、器具本体１に反射部材４と光学部材５を取り付けた際、反射部材４の内壁に囲まれた第一空間７中の空気が、間隙部９を通って、反射部材４の外壁にあ
る第二空間８に流出する。また、第二空間８中の空気は、反射部材４の鍔状部４５に設けられた複数の貫通孔４５１を通って、再び第一空間７に流入することができるので、第一空間７中の空気と第二空間８中の空気とを循環させることができる。
【００６０】
照明装置１００は、光軸Ｊを下に向けて使用される場合が多い。そうすると、間隙部９は、複数の貫通孔４５１よりも上方向に位置する。照明器具１００の点灯時、光源部２から発せられる熱によって、光源部２の周辺部の空気を暖められ、第一空間７内に閉じ込められる。その暖められた空気は、対流により器具本体１と反射部材４との間に設けられた間隙部９を通じて第一空間７から第二空間８へ流出する（Ｆ１）。そして、第二空間８から複数の貫通孔４５１を通じて再び、第一空間７へ流入する（Ｆ２）。この熱循環過程において、外面が外気に露出している器具本体１によって、すなわち第一空間７において暖められた空気の温度は下げられる。このような空気循環によって光源部２の熱を適切に下げることができつつ、反射部材４および光学部材５の循環空気に触れるので、適度に温度を下げることができる。
【００６１】
その結果、反射部材４及び光学部材５が過度な温度上昇によって熱劣化するのを防止することができる。
【００６２】
また、器具本体１、反射部材４及び光学部材５が密接して配置される場合において、照明器具１００の内部空間のみで冷却可能であるので、照明器具１００内部の防虫や防水効果も期待される。
【００６３】
また、反射部材４の外縁が入射開口部４１より外側に位置することにより、Ｙ軸方向負側から照明器具１００を見た場合に、入射開口部４１の内側には、反射部材４、光学部材５及び光源部２だけが見える。つまり、照明器具１００の内部の配線などが、照明器具１００の外部から見られることを抑制することができる。これにより、ユーザらが、照明器具１００の内部の配線などに触れることを抑制できる。また、照明器具１００の内部が見えない構成は、外観デザイン上も好ましい。
【００６４】
［４．効果など］
以上、本実施の形態は、有底筒状の器具本体１と、器具本体１内の底部に配置される光源部２と、入射開口部４１と出射開口部４２とで両端に開口した筒状の部材であって、器具本体１内に配置される反射部材４と、反射部材４の出射開口部４２を塞ぐ光学部材３と、を備える照明器具１００であって、照明器具１００には、反射部材４の内側壁と光学部材５とで囲まれる第一空間７と、器具本体１００の内壁と反射部材４の外側壁とで囲まれる第二空間８とがあり、反射部材４の入射開口部４１の開口縁部分と器具本体１内の底部内面との間に、第一空間７と第二空間８とを連通させる間隙部９が設けられ、反射部材４の出射開口部４２の開口縁部分４５６には、全周にわたって外方へ突出する鍔状部４５が設けられ、鍔状部４５に第一空間７と第二空間８とを連通させる複数の貫通孔４５１が周方向に並べて配置されている。
【００６５】
これにより、照明器具１００内の空気が間隙部９及び複数の貫通孔４５１を通じて第一空間７と第二空間８とを循環することができるので、空気循環により、反射部材４及び光学部材５の空間の温度上昇を抑制することができる。
【００６６】
また、光学部材５は、出射開口部４２から出射される光を配光制御して透過させる配光制御部５１と、配光制御部５１の周囲に環状部５２と、を有し、環状部５２と反射部材４の鍔状部４５とが接合される、接合部分よりも内側における鍔状部４５に貫通孔４５１が配置されていることが好ましい。
【００６７】
これにより、器具本体１、反射部材４及び光学部材５が密閉構造で設けられている場合においても、照明器具１００内で空気の循環が行えることにより、内部空間の温度上昇を抑制できる。さらに、密閉構造であることより照明器具１００内部の防虫・防水を行うこともできる。
【００６８】
また、光学部材５はフレネルレンズであることが好ましい。
【００６９】
また、両端に開口した筒状の枠体６であって、一方の開口端が器具本体１の底部とは反対側の開口部の開口縁部分に固定される補助反射部６２を、さらに備えることが好ましい。
【００７０】
これにより、出射する光を拡散させることができ、光の照度ムラ及び色ムラを抑制することができ、均一に被照射物を照らすことができる。
【００７１】
上記構成により、反射部材４及び光学部材５の間に第一空間７が、器具本体１の内部及び反射部材４の外側壁の間に環状の第二空間８が形成される。器具本体１内で暖められた空気が、第一空間７及び第二空間８を、間隙部９や複数の貫通孔４５１を通じて循環することができる。器具本体１内で暖められた空気は、この循環が行われることによって、反射部材４及び光学部材５の温度上昇が抑制され、熱劣化するのを防ぐことができる。また、熱循環により、温度上昇を抑制する際、器具本体１に設けられたフィン１３が動作することによって、さらに循環を円滑にし、より温度を抑制されることが好ましい。
【００７２】
また、器具本体１と反射部材４と光学部材５とによる密閉された空間の内部で冷却できるので、反射部材４と光学部材５の内部の防虫・防水も行うことができる。
【００７３】
（変形例など）
以上、本発明に係る照明器具１００について、実施の形態に基づいて説明したが、本発明は、これらの実施の形態に限定されるものではない。
【００７４】
例えば、上記実施形態では、光学部材５は、フレネルレンズを用いて説明したが、光学部材５はこれに限定されない。光学部材５は、例えば、ハイブリッドレンズ、ドーム型レンズ、平板（配光制御をしないカバー）などでもよい。
【００７５】
また、出射開口部４２、環状部５２及び複数の貫通孔４５１によって形成される円周の内径の大きさは実施の形態に限るものではない。
【００７６】
また、反射部材４の鍔状部４５に設けられた複数の貫通孔４５１の形状や配置される個数は、上記実施形態では円形に１２個配置されるものであったが、形状や個数はこれに限定されるものではない。
【００７７】
また、上記実施の形態においては、光源部２において、ＣＯＢ型ＬＥＤを用いたが、他の発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子など他の固体発光素子、又は、固体発光素子以外の他の光源を用いてもよい。
【００７８】
また、反射部材４の出射開口部４２は、入射開口部４１から入射した光を反射したものを出射開口部４２へ導くとしたが、光学部材５で跳ね返った光を反射させ再度出射開口部４２へ導いてもよい。
【００７９】
その他、各実施の形態に対して当業者が思いつく各種変形を施して得られる形態、又は
、本発明の趣旨を逸脱しない範囲で各実施の形態における構成要素及び機能を任意に組み合わせることで実現される形態も本発明に含まれる。
【符号の説明】
【００８０】
１００  照明器具
１  器具本体
１４  底部
２  光源部
４  反射部材
４１  入射開口部
４２  出射開口部
４５  鍔状部
４５１  貫通孔
５  光学部材
５１  配光制御部
５２  環状部
６２  補助反射部
７  第一空間
８  第二空間
９  間隙部
１０  接続部分
【図１】
0006603878.tif 000002
【図２】
0006603878.tif 000003
【図３】
0006603878.tif 000004
【図４】
0006603878.tif 000005
【図５】
0006603878.tif 000006